(57)【要約】【課題】電子辞書装置で、複数辞書を対象に見出し語検索して表示する場合に、各辞書の説明情報における記号表記の仕方を主要な辞書の記号表記の仕方に統一して表示させる。【解決手段】例えば「英和」のメイン辞書を「ジ＊ニアス英和辞典」、サブ辞書を「リ＊ダーズ英和辞典」として設定した状態での当該メイン辞書に基づく入力見出し語対応の説明情報表示画面Ｇ３（図１２（Ｄ）参照）において、さらに「サブ辞書」キー１６Ｄを１キー操作すると、表示中のメイン辞書説明情報に見出し語とその語義番号で内容対応するサブ辞書の説明情報が検知され読み出される。そしてこのサブ辞書から読み出された説明情報に含まれる品詞記号，発音記号，略語記号，見出表記などの各表記形態がメイン辞書での各表記形態に合わせて変換統一され、前記メイン辞書での説明情報と２分割の表示設定にしたメイン／サブ説明情報連動画面Ｇ４（図１２（Ｅ）参照）にて表示される。【選択図】      図１２
2005216108.tif 000002
【特許請求の範囲】
【請求項１】
複数の辞書毎に見出し語に対応した説明情報を記憶する複数辞書記憶手段と、
前記複数の辞書の何れかの辞書を基本辞書として設定する基本辞書設定手段と、
見出し語を入力する見出し語入力手段と、
前記基本辞書設定手段により基本辞書として設定された辞書以外の他の辞書における前記見出し語入力手段により入力された見出し語に対応した説明情報を読み出す他辞書情報読出し手段と、
この他辞書情報読出し手段により読み出された他の辞書における入力見出し語に対応した説明情報の表記形態を前記基本辞書設定手段により基本辞書として設定された辞書における説明情報の表記形態に合わせて変換する表記変換手段と、
この表記変換手段により表記形態の変換された他の辞書における入力見出し語に対応した説明情報を表示させる他辞書情報表示制御手段と、
を備えたことを特徴とする辞書情報表示制御装置。
【請求項２】
前記表記変換手段は、
前記複数の辞書毎の説明情報における表記形態の対応関係を記憶する表記関係記憶手段を有し、
この表記関係記憶手段により記憶された各辞書毎の説明情報における表記形態の対応関係に従って、前記他の辞書における説明情報の表記形態を基本辞書における説明情報の表記形態に合わせて変換する、
ことを特徴とする請求項１に記載の辞書情報表示制御装置。
【請求項３】
前記説明情報における表記形態は、品詞記号の表記形態であることを特徴とする請求項１または請求項２に記載の辞書情報表示制御装置。
【請求項４】
前記説明情報における表記形態は、発音記号の表記形態であることを特徴とする請求項１または請求項２に記載の辞書情報表示制御装置。
【請求項５】
前記説明情報における表記形態は、略語記号の表記形態であることを特徴とする請求項１または請求項２に記載の辞書情報表示制御装置。
【請求項６】
前記説明情報における表記形態は、説明情報中にて引用される見出し単語の表記形態であることを特徴とする請求項１または請求項２に記載の辞書情報表示制御装置。
【請求項７】
さらに、
基本辞書を指定する辞書キーと、
この辞書キーの操作に応じて前記基本辞書における前記見出し語入力手段により入力された見出し語に対応した説明情報を読み出す基本辞書情報読出し手段と、
この基本辞書情報読出し手段により読み出された基本辞書における入力見出し語に対応した説明情報を表示させる基本辞書情報表示制御手段と、
他の辞書を指定する他辞書キーとを備え、
前記他辞書情報読出し手段は、前記他辞書キーの操作に応じて前記基本辞書以外の他の辞書における前記見出し語入力手段により入力された見出し語に対応した説明情報を読み出し、
前記他辞書情報表示制御手段は、前記基本辞書情報表示制御手段により表示された基本辞書における説明情報と表示分割して前記表記変換手段により表記形態の変換された他の辞書における説明情報を表示させる、
ことを特徴とする請求項１ないし請求項６の何れか１項に記載の辞書情報表示制御装置。
【請求項８】
前記基本辞書設定手段は、前記複数の辞書のうち種類の異なる辞書毎に基本辞書を設定し、
前記辞書キーは、指定する基本辞書の種類が異なる複数の辞書キーを有し、
前記他辞書情報読出し手段は、前記他辞書キーの操作に応じて前記辞書キーにより指定された基本辞書と同種の他の辞書における前記見出し語入力手段により入力された見出し語に対応した説明情報を読み出す、
ことを特徴とする請求項７に記載の辞書情報表示制御装置。
【請求項９】
前記他辞書情報読出し手段は、前記基本辞書情報表示制御手段により表示された基本辞書における入力見出し語に対応した説明情報の語義部分に基づき、前記基本辞書と同種の他の辞書における前記入力見出し語に対応した説明情報の同じ語義部分を読み出すことを特徴する請求項７または請求項８に記載の辞書情報表示制御装置。
【請求項１０】
前記基本辞書設定手段は、任意に基本辞書を設定することを特徴とする請求項１ないし請求項９の何れか１項に記載の辞書情報表示制御装置。
【請求項１１】
電子辞書装置のコンピュータを制御するための辞書情報表示制御プログラムであって、
前記コンピュータを、
複数の辞書毎に見出し語に対応した説明情報を記憶する複数辞書記憶手段、
前記複数の辞書の何れかの辞書を基本辞書として設定する基本辞書設定手段、
見出し語を入力する見出し語入力手段、
前記基本辞書設定手段により基本辞書として設定された辞書以外の他の辞書における前記見出し語入力手段により入力された見出し語に対応した説明情報を読み出す他辞書情報読出し手段、
この他辞書情報読出し手段により読み出された他の辞書における入力見出し語に対応した説明情報の表記形態を前記基本辞書設定手段により基本辞書として設定された辞書における説明情報の表記形態に合わせて変換する表記変換手段、
この表記変換手段により表記形態の変換された他の辞書における入力見出し語に対応した説明情報を表示させる他辞書情報表示制御手段、
として機能させるようにしたコンピュータ読み込み可能な辞書情報表示制御プログラム。
【請求項１２】
複数の辞書毎に見出し語に対応した説明情報を記憶する複数辞書記憶手段と、前記複数の辞書の何れかの辞書を基本辞書として設定する基本辞書設定手段と、見出し語を入力する見出し語入力手段とを有する電子辞書装置を制御するための辞書情報表示制御方法であって、
前記基本辞書設定手段により基本辞書として設定された辞書以外の他の辞書における前記見出し語入力手段により入力された見出し語に対応した説明情報を読み出す他辞書情報読出しステップと、
この他辞書情報読出しステップにて読み出された他の辞書における入力見出し語に対応した説明情報の表記形態を前記基本辞書設定手段により基本辞書として設定された辞書における説明情報の表記形態に合わせて変換する表記変換ステップと、
この表記変換ステップにて表記形態の変換された他の辞書における入力見出し語に対応した説明情報を表示させる他辞書情報表示制御ステップと、
からなることを特徴とする辞書情報表示制御方法。
【発明の詳細な説明】
【技術分野】
【０００１】
本発明は、電子データ化した種々の辞書データベースを記憶して任意の見出し語に対応する言語訳や意味内容などの説明情報を検索表示するための辞書情報表示制御装置、および辞書情報表示制御プログラム、辞書情報表示制御方法に関する。
【背景技術】
【０００２】
従来から、国語辞典，英和辞典，和英事典などの各種の辞典や辞書を電子データ化してＲＯＭなどの記憶媒体に格納し、これに基づき各種の言語や語句を見出し語として入力し、その訳語や意味内容などの説明情報を検索して表示するようにした電子辞書装置が広く汎用されている。
【０００３】
近年このような電子辞書装置では、各種の辞書データベースのそれぞれにおいて多数の辞書が搭載されるようになっており、例えば英和辞書だけでもその辞書メーカやユーザ対象レベルの異なる３種類以上の辞書が予め内蔵されているものもある。
【０００４】
そして、任意の見出し語を入力して検索の実行を指示した場合に、指定の種類の辞書データベースに搭載された複数の辞書の全ての辞書データに基づいて見出し語検索を行い、検索対象の見出し語を有する各辞書データから読み出された説明情報を一括して表示するようにした電子辞書装置も考えられている（例えば、特許文献１参照。）。
【特許文献１】特開２０００−２７６４７９号公報
【発明の開示】
【発明が解決しようとする課題】
【０００５】
このように、前記特許文献１にある従来の電子辞書装置では、同種の辞書として予め内蔵された複数の辞書のそれぞれに対して、入力された見出し語との一致検索を行い、当該見出し語の検索された各辞書データからの説明情報を一括表示することはできるものの、各辞書データの説明情報毎にそれぞれその説明に含まれる発音記号や品詞，その他の記号の形態が異なっている。
【０００６】
例えば、一方の英和辞書では、品詞の記号を漢字の記号で「名」（名詞），「動」（動詞），「形」（形容詞），…などとして記述していても、他の英和辞書では、その同じ品詞をアルファベット記号で「ｎ」（名詞），「ｖ」（動詞），「ａ」（形容詞），…などとして記述している。
【０００７】
このため、特に、入力見出し語に対応した複数の辞書それぞれの説明情報を一括して見る場合には、ユーザが普段から使い慣れている主要な辞書での記号表記の仕方だけでなく、普段はあまり使わない辞書での記号表記の仕方にも精通していなければ、非常に見辛く理解し辛いものとなる問題がある。
【０００８】
本発明は、このような課題に鑑みなされたもので、複数の辞書を対象に見出し語検索して表示する場合に、各辞書の説明情報における記号表記の仕方を主要な辞書の記号表記の仕方に統一して表示させることが可能になる辞書情報表示制御装置、および辞書情報表示制御プログラム、辞書情報表示制御方法を提供することを目的とする。
【課題を解決するための手段】
【０００９】
本発明の請求項１に係る辞書情報表示制御装置では、複数辞書記憶手段によって複数の辞書毎に見出し語に対応した説明情報が記憶され、基本辞書設定手段によって前記複数の辞書の何れかの辞書が基本辞書として設定される。そして、基本辞書設定手段により基本辞書として設定された辞書以外の他の辞書における見出し語入力手段により入力された見出し語に対応した説明情報が他辞書情報読出し手段によって読み出されると、この他辞書情報読出し手段により読み出された他の辞書における入力見出し語に対応した説明情報の表記形態が表記変換手段によって前記基本辞書として設定された辞書における説明情報の表記形態に合わせて変換され、この表記変換手段により表記形態の変換された他の辞書における入力見出し語に対応した説明情報が他辞書情報表示制御手段によって表示される。
【００１０】
これによれば、基本辞書以外の他の辞書を対象として見出し語に対応した説明情報の検索表示を行った場合でも、例えばユーザが読み慣れた基本辞書での表記形態に統一した見易い説明情報として表示できることになる。
【００１１】
本発明の請求項２に係る辞書情報表示制御装置は、前記請求項１に係る辞書情報表示制御装置にあって、前記表記変換手段では、前記複数の辞書毎の説明情報における表記形態の対応関係を記憶する表記関係記憶手段を有し、この表記関係記憶手段により記憶された各辞書毎の説明情報における表記形態の対応関係に従って、前記他の辞書における説明情報の表記形態が基本辞書における説明情報の表記形態に合わせて変換される。
【００１２】
これによれば、他の辞書から読み出して表示するための説明情報の表記形態を、表記関係記憶手段により記憶された基本辞書での説明情報の表記形態との対応関係に従って容易に変換統一できることになる。
【００１３】
本発明の請求項３に係る辞書情報表示制御装置では、前記請求項１または請求項２に係る辞書情報表示制御装置にあって、前記説明情報における表記形態は、品詞記号の表記形態である。
【００１４】
これによれば、他の辞書から読み出して表示するための説明情報における品詞記号の表記形態を、基本辞書での説明情報における品詞記号の表記形態に合わせて変換統一できることになる。
【００１５】
本発明の請求項４に係る辞書情報表示制御装置では、前記請求項１または請求項２に係る辞書情報表示制御装置にあって、前記説明情報における表記形態は、発音記号の表記形態である。
【００１６】
これによれば、他の辞書から読み出して表示するための説明情報における発音記号の表記形態を、基本辞書での説明情報における発音記号の表記形態に合わせて変換統一できることになる。
【００１７】
本発明の請求項５に係る辞書情報表示制御装置では、前記請求項１または請求項２に係る辞書情報表示制御装置にあって、前記説明情報における表記形態は、略語記号の表記形態である。
【００１８】
これによれば、他の辞書から読み出して表示するための説明情報における略語記号の表記形態を、基本辞書での説明情報における略語記号の表記形態に合わせて変換統一できることになる。
【００１９】
本発明の請求項６に係る辞書情報表示制御装置では、前記請求項１または請求項２に係る辞書情報表示制御装置にあって、前記説明情報における表記形態は、説明情報中にて引用される見出し単語の表記形態である。
【００２０】
これによれば、他の辞書から読み出して表示するための説明情報における当該説明情報中にて引用される見出し単語の表記形態を、基本辞書での説明情報中にて引用される見出し単語の表記形態に合わせて変換統一できることになる。
【００２１】
本発明の請求項７に係る辞書情報表示制御装置では、前記請求項１ないし請求項６の何れか１項に係る辞書情報表示制御装置にあって、さらに、基本辞書を指定する辞書キーと、この辞書キーの操作に応じて前記基本辞書における前記見出し語入力手段により入力された見出し語に対応した説明情報を読み出す基本辞書情報読出し手段と、この基本辞書情報読出し手段により読み出された基本辞書における入力見出し語に対応した説明情報を表示させる基本辞書情報表示制御手段と、他の辞書を指定する他辞書キーとが備えられ、前記他辞書情報読出し手段では、前記他辞書キーの操作に応じて前記基本辞書以外の他の辞書における前記見出し語入力手段により入力された見出し語に対応した説明情報が読み出され、前記他辞書情報表示制御手段では、前記基本辞書情報表示制御手段により表示された基本辞書における説明情報と表示分割されて前記表記変換手段により表記形態の変換された他の辞書における説明情報が表示される。
【００２２】
これによれば、辞書キーの１キー操作で基本辞書での入力見出し語に対応する説明情報を読み出して表示でき、さらに他辞書キーの１キー操作で他の辞書での同一見出し語に対応する説明情報を読み出して前記基本辞書に合わせて表記変換し、この基本辞書での説明情報と表示分割して対比表示できることになる。
【００２３】
本発明の請求項８に係る辞書情報表示制御装置は、前記請求項７に係る辞書情報表示制御装置にあって、前記基本辞書設定手段では、前記複数の辞書のうち種類の異なる辞書毎に基本辞書が設定され、前記辞書キーは、指定する基本辞書の種類が異なる複数の辞書キーを有する。そして、前記他辞書情報読出し手段では、前記他辞書キーの操作に応じて前記辞書キーにより指定された基本辞書と同種の他の辞書における前記見出し語入力手段により入力された見出し語に対応した説明情報が読み出される。
【００２４】
これによれば、「国語」「英和」「和英」などの辞書の種類を辞書キーにより１キー操作して指定することで、指定の辞書種の基本辞書における入力見出し語に対応した説明情報を表示でき、その上で他辞書キーの１キー操作に応じて前記基本辞書と同種の他の辞書における同一見出し語に対応した説明情報を当該基本辞書での説明情報とその表記形態を統一させて対比表示できることになる。
【００２５】
本発明の請求項９に係る辞書情報表示制御装置は、前記請求項７または請求項８に係る辞書情報表示制御装置にあって、前記他辞書情報読出し手段では、前記基本辞書情報表示制御手段により表示された基本辞書における入力見出し語に対応した説明情報の語義部分に基づき、前記基本辞書と同種の他の辞書における前記入力見出し語に対応した説明情報の同じ語義部分が読み出される。
【００２６】
これによれば、基本辞書での見出し語に対応して表示された説明情報の語義部分に対比させて、同種の他の辞書における同一見出し語に対応した同一語義部分の説明情報を読み出し、その表記形態を基本辞書での表記形態に統一させて表示できることになる。
【００２７】
本発明の請求項１０に係る辞書情報表示制御装置は、前記請求項１ないし請求項９の何れか１項に係る辞書情報表示制御装置にあって、前記基本辞書設定手段では、任意に基本辞書を設定する。
【００２８】
これによれば、複数の辞書のうちで任意の辞書を基本辞書として設定し、この任意設定の基本辞書に合わせて他の辞書での説明情報を表示させる際の当該説明情報の表記形態を統一できることになる。
【発明の効果】
【００２９】
本発明の請求項１（請求項１１）（請求項１２）に係る辞書情報表示制御装置（辞書情報表示制御プログラム）（辞書情報表示制御方法）によれば、基本辞書以外の他の辞書を対象として見出し語に対応した説明情報の検索表示を行った場合でも、例えばユーザが読み慣れた基本辞書での表記形態に統一した見易い説明情報として表示できるようになる。
【００３０】
本発明の請求項２に係る辞書情報表示制御装置によれば、前記請求項１に係る辞書情報表示制御装置にあって、他の辞書から読み出して表示するための説明情報の表記形態を、表記関係記憶手段により記憶された基本辞書での説明情報の表記形態との対応関係に従って容易に変換統一できるようになる。
【００３１】
本発明の請求項３に係る辞書情報表示制御装置によれば、前記請求項１または請求項２に係る辞書情報表示制御装置にあって、他の辞書から読み出して表示するための説明情報における品詞記号の表記形態を、基本辞書での説明情報における品詞記号の表記形態に合わせて変換統一できるようになる。
【００３２】
本発明の請求項４に係る辞書情報表示制御装置によれば、前記請求項１または請求項２に係る辞書情報表示制御装置にあって、他の辞書から読み出して表示するための説明情報における発音記号の表記形態を、基本辞書での説明情報における発音記号の表記形態に合わせて変換統一できるようになる。
【００３３】
本発明の請求項５に係る辞書情報表示制御装置によれば、前記請求項１または請求項２に係る辞書情報表示制御装置にあって、他の辞書から読み出して表示するための説明情報における略語記号の表記形態を、基本辞書での説明情報における略語記号の表記形態に合わせて変換統一できるようになる。
【００３４】
本発明の請求項６に係る辞書情報表示制御装置によれば、前記請求項１または請求項２に係る辞書情報表示制御装置にあって、他の辞書から読み出して表示するための説明情報における当該説明情報中にて引用される見出し単語の表記形態を、基本辞書での説明情報中にて引用される見出し単語の表記形態に合わせて変換統一できるようになる。
【００３５】
本発明の請求項７に係る辞書情報表示制御装置によれば、前記請求項１ないし請求項６の何れか１項に係る辞書情報表示制御装置にあって、辞書キーの１キー操作で基本辞書での入力見出し語に対応する説明情報を読み出して表示でき、さらに、他辞書キーの１キー操作で他の辞書での同一見出し語に対応する説明情報を読み出して前記基本辞書に合わせて表記変換し、前記基本辞書での説明情報と表示分割して対比表示できるようになる。
【００３６】
本発明の請求項８に係る辞書情報表示制御装置によれば、前記請求項７に係る辞書情報表示制御装置にあって、「国語」「英和」「和英」などの辞書の種類を辞書キーにより１キー操作して指定することで、指定の辞書種の基本辞書における入力見出し語に対応した説明情報を表示でき、その上で他辞書キーの１キー操作に応じて前記基本辞書と同種の他の辞書における同一見出し語に対応した説明情報を当該基本辞書での説明情報とその表記形態を統一させて対比表示できるようになる。
【００３７】
本発明の請求項９に係る辞書情報表示制御装置によれば、前記請求項７または請求項８に係る辞書情報表示制御装置にあって、基本辞書での見出し語に対応して表示された説明情報の語義部分に対比させて、同種の他の辞書における同一見出し語に対応した同一語義部分の説明情報を読み出し、その表記形態を基本辞書での表記形態に統一させて表示できるようになる。
【００３８】
本発明の請求項１０に係る辞書情報表示制御装置によれば、前記請求項１ないし請求項９の何れか１項に係る辞書情報表示制御装置にあって、複数の辞書のうちで任意の辞書を基本辞書として設定し、この任意設定の基本辞書に合わせて他の辞書での説明情報を表示させる際の当該説明情報の表記形態を統一できるようになる。
【００３９】
よって、本発明によれば、複数の辞書を対象に見出し語検索して表示する場合に、各辞書の説明情報における記号表記の仕方を主要な辞書の記号表記の仕方に統一して表示させることが可能になる辞書情報表示制御装置、および辞書情報表示制御プログラム、辞書情報表示制御方法を提供できる。
【発明を実施するための最良の形態】
【００４０】
以下図面により本発明の実施の形態について説明する。
【００４１】
図１は本発明の辞書情報表示制御装置の実施形態に係る携帯機器（電子辞書）１０の電子回路の構成を示すブロック図である。
【００４２】
この携帯機器（電子辞書）１０は、以下に説明する電子辞書機能を備えたＰＤＡ(personal digital assistants)、ＰＣ(personal computer)、携帯電話、電子ブックとして構成されるか、電子辞書専用の携帯機器として構成される。この携帯機器（電子辞書）１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００４３】
ＣＰＵ１１は、メモリ１２内に予め記憶された装置制御プログラム、あるいはＲＯＭカードなどの外部記憶媒体１３から記憶媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御するもので、前記メモリ１２に記憶された装置制御プログラムは、キーやタッチパネルからなる入力部１６からのユーザ操作に応じた入力信号、あるいは通信部１５を介して接続されるインターネットＮ上の各Ｗｅｂサーバ２０…との通信信号、あるいは記憶媒体読取部１４を介して外部接続されるＥＥＰＲＯＭ，ＲＡＭ，ＲＯＭなどのメモリカード（記憶媒体）１３との接続通信信号に応じて起動される。
【００４４】
前記ＣＰＵ１１には、前記メモリ１２、記憶媒体読取部１４、通信部１５、入力部１６が接続される他に、ＬＣＤからなる表示部１７などが接続される。
【００４５】
メモリ１２には、当該携帯機器（電子辞書）１０の全体の動作を司るシステムプログラムや通信部１５を介してインターネットＮ上の各Ｗｅｂサーバ２０…とデータ通信するための通信プログラムが記憶される他に、新たに必要な辞書データを辞書管理用のＷｅｂサーバ２０やメモリカード（記憶媒体）１３からダウンロードしたり、辞書データ（１２ｂ）に基づき見出し語入力に応じた訳語や意味内容などの各種説明情報を検索したり、「国語」「英和」「和英」など、辞書の種類毎にユーザ任意のメイン辞書／サブ辞書を設定し、入力見出し語に応じた各種説明情報の検索結果をメイン辞書／サブ辞書間で語義連動にして表示するのと共に、各辞書から読み出されて表示される説明情報の記号表記をメイン辞書での記号表記の仕方に合わせて統一したりするための辞書制御プログラム１２ａが記憶される。
【００４６】
また、このメモリ１２には、辞書データメモリ１２ｂ、語義リンクテーブル１２ｃ、メイン辞書設定テーブル１２ｄ、表記変換テーブル１２ｅ、ワークエリア１２ｆなどが用意される。
【００４７】
辞書データメモリ１２ｂには、「国語辞典」「漢和辞典」「英和辞典」「和英辞典」など、種類の異なる辞書データが各種類別に予め、あるいはダウンロードされて複数辞書記憶されるもので、例えば「国語辞典」としては「広○苑」「マイ百科事典」「カタカナ辞典」が記憶され、「漢和辞典」としては「漢○林」「漢字源」が記憶され、「英和辞典」としては「ジ＊ニアス英和辞典」「リ＊ダーズ英和辞典」が記憶され、「和英辞典」としては「ジュニアー和英辞典」「ジ＊ニアス和英辞典」が記憶される。
【００４８】
これら各種類別の複数の辞書データは、それぞれ例えば利用者対象レベルに応じてグレードを異ならせた辞書とされる。
【００４９】
図２は前記携帯機器（電子辞書）１０のメモリ１２に記憶される語義リンクテーブル１２ｃのテーブルデータを示す図である。
【００５０】
この語義リンクテーブル１２ｃには、前記辞書データメモリ１２ｂに記憶されている各辞書毎のリンクテーブルがあり、該当辞書の各見出し語に対応する説明情報の語義番号について、同辞書データメモリ１２ｂに記憶されている同種辞書のそれぞれにおける対応する見出し語説明情報の語義番号がテーブル化されて記憶される。
【００５１】
図２で示す語義リンクテーブル１２ｃは、ジ＊ニアス英和辞典用のリンクテーブルであり、見出し語「ｌｉｆｅ」の説明情報中の各語義（１〜１２）について、リ＊ダーズ英和辞典とリ＊ダーズαでの同一見出し語「ｌｉｆｅ」の説明情報中の対応語義番号を示している。
【００５２】
図３は前記図２おける語義リンクテーブル１２ｃについて各語義に対応する説明情報の内容を参考に対応付けて示す図である。
【００５３】
すなわち、この図３で示す語義リンクテーブル１２ｃの参考情報によれば、ジ＊ニアス英和辞典での見出し語「ｌｉｆｅ」の例えば語義番号（１）の説明情報「［Ｕ］生命，命，…」、語義番号（２）の説明情報「［Ｕ］［集合的に］生物，…」に対しては、それぞれリ＊ダーズ英和辞典での語義番号（１ａ）の説明情報「生命、命…」、語義番号（５）の説明情報「生き物，生物（集合的に）」が対応する説明情報であることが分かる。
【００５４】
メイン辞書設定テーブル１２ｄ（図１１（Ａ），図１４（Ａ）参照）には、前記辞書データメモリ１２ｂに記憶されている各種類別の複数辞書について、同種複数辞書内での主要な使用辞書がメイン辞書（Ｍ）として設定され、その他の辞書が例えば当該メイン辞書を基準とした利用者対象レベル順のサブ辞書として設定されるもので、このメイン辞書とサブ辞書の設定状態は予めデフォルトで指定される他にユーザ操作に応じて任意に指定される。
【００５５】
図４は前記携帯機器（電子辞書）１０のメモリ１２に記憶される表記変換テーブル１２ｅのテーブルデータを示す図である。
【００５６】
この表記変換テーブル１２ｅには、各辞書の説明情報に含まれる品詞記号，発音記号，略語記号，見出しの引用形態それぞれの表記の形態が、各辞書の相互間で対応付けられて記憶される。図４ではその一例として、ジ＊ニアス英和辞典における説明情報の表記形態とリ＊ダーズ英和辞典における説明情報の表記形態とを対応付けた表記変換テーブル１２ｅを示している。
【００５７】
すなわち、この表記変換テーブル１２ｅに基づいて、例えば「英和」辞典のうちでジ＊ニアス英和辞典をメイン辞書として設定した場合には、リ＊ダーズ英和辞典による説明情報を表示する際の表記形態は、メイン辞書であるジ＊ニアス英和辞典での説明情報の表記形態に合わせて統一表示制御され、逆に、リ＊ダーズ英和辞典をメイン辞書として設定した場合には、ジ＊ニアス英和辞典による説明情報を表示する際の表記形態は、メイン辞書であるリ＊ダーズ英和辞典での説明情報の表記形態に合わせて統一表示制御される。
【００５８】
ワークエリア１２ｆには、前記辞書制御プログラム１２ａなどの各種の装置制御プログラムに従いＣＰＵ１１に入出力される種々のデータが必要に応じて記憶される。
【００５９】
図５は前記携帯機器（電子辞書）１０の入力部１６であるキーボードパネルを示す図である。
【００６０】
キーボードパネル（１６）には、ひらがな，カタカナ，漢字，英数字を任意入力するための一連の文字入力キーが配列されると共に、辞書データメモリ１２ｂに記憶されている全ての辞書を対象にして入力見出し語に対応する説明情報の検索を行うための「全辞書」キー１６Ａ、各種別のメイン辞書を指定して入力見出し語に対応する説明情報の検索を行うための各辞書キー「国語」１６a1、「漢和」１６a2、「英和」１６a3、「和英」１６a4、ノーマルモードでメニューキー，シフトモードで電卓キーとして機能する「メニュー／電卓」キー１６ｍ、シフトモードに設定するための「シフト」キー１６ｓ、ノーマルモードで削除キー，シフトモードで設定キーとして機能する「削除／設定」キー１６Ｅ、メイン辞書での検索表示状態においてサブ辞書も語義連動にして見出し語検索を行うための「サブ辞書」キー１６Ｄ、検索表示中の説明情報に記述されている「用例／解説」マークを指定してその用例または解説を表示させるための「用例・解説」キー１６Ｒ、処理ステップの戻りを指示するための「戻る」キー１６Ｂ、各種ページ操作の他、検索表示中の隣接見出し語の切り替え指定やメイン辞書／サブ辞書間の切り替え操作を行うためのページアップキー１６ｕ，ページダウンキー１６ｄ、表示画面上でのデータ選択操作やスクロール操作を行うための上下左右方向の各カーソルキー１６xd，１６xu，１６yr，１６yf、そして、選択データの決定／確定や選択見出し語に対応した説明情報の読出し表示を指示するための「訳／決定」キー１６Ｙなどが備えられる。
【００６１】
次に、前記構成の携帯機器（電子辞書）１０による辞書情報表示制御機能について説明する。
【００６２】
図６は前記携帯機器（電子辞書）１０による情報表示制御機能の全体処理（その１）を示すフローチャートである。
【００６３】
図７は前記携帯機器（電子辞書）１０による情報表示制御機能の全体処理（その２）を示すフローチャートである。
【００６４】
図８は前記携帯機器（電子辞書）１０による情報表示制御機能の全体処理（その３）を示すフローチャートである。
【００６５】
図９は前記携帯機器（電子辞書）１０による情報表示制御機能の全体処理（その１）に伴うメイン辞書設定処理を示すフローチャートである。
【００６６】
図１０は前記携帯機器（電子辞書）１０による情報表示制御機能の全体処理（その２）（その３）に伴うメイン辞書への表記変換処理を示すフローチャートである。
【００６７】
図１１は前記携帯機器（電子辞書）１０による情報表示制御機能の全体処理に伴うキー操作対応の表示動作（その１）を示す図であり、同図（Ａ）はメイン辞書設定画面Ｇ１を示す図、同図（Ｂ）は見出し語一覧画面Ｇ２を示す図、同図（Ｃ）は説明情報表示画面Ｇ３を示す図である。
【００６８】
まず、辞書データメモリ１２ｂに記憶されている各種類別「国語」「漢和」「英和」「和英」の複数辞書について、ユーザが主要に使用するメイン辞書の設定を行う場合に、図１１（Ａ）に示すように、「シフト」キー１６ｓ＋「設定」キー１６Ｅの操作に従い“メイン辞書設定の指示あり”が判断されると（ステップＡ１→Ａ２）、図９におけるメイン辞書設定処理に移行される（ステップＡＳ）。
【００６９】
このメイン辞書設定処理が起動されると、表示部１７にメイン辞書設定画面Ｇ１が表示され、メイン辞書設定テーブル１２ｄに記憶されている各辞書種類別のメイン辞書／サブ辞書の現在の設定内容に従って、メイン辞書名の先頭に黒丸の反転表示からなるメイン辞書マークＭが付加されて表示される（ステップＳ１）。
【００７０】
このメイン辞書設定画面Ｇ１において、カーソル上下キー１６xd，１６xuが操作されると、同画面Ｇ１上の反転表示カーソルＫにより指定中の辞書名が同種の複数辞書内で上下方向に変更表示され、当該変更指定された辞書に対して前記メイン辞書マークＭが変更表示される（ステップＳ２→Ｓ３）。
【００７１】
また、同メイン辞書設定画面Ｇ１において、カーソル左右キー１６yr，１６yfが操作されると、同画面Ｇ１上の反転表示カーソルＫにより指定中の辞書の種類が左右方向へ変更されて表示される（ステップＳ４→Ｓ５）。
【００７２】
そして、前記各カーソルキー操作に従って所望の辞書種類の複数辞書中におけるメイン設定したい辞書をカーソルＫで指定した状態で、「訳／決定」キー１６Ｙが操作されると、当該指定された辞書名に対し付加されたメイン辞書マークＭが確定表示されると共に、新たに変更設定された各辞書種類別のメイン辞書がメイン辞書設定テーブル１２ｄに記憶設定される（ステップＳ６→Ｓ７）。
【００７３】
図１１（Ａ）に示すメイン辞書設定画面Ｇ１では、「国語」のメイン辞書が「広○苑」、「漢和」のメイン辞書が「漢○林」、「英和」のメイン辞書が「ジ＊ニアス英和」、「和英」のメイン辞書が「ジュニアー和英」に設定され、各メイン辞書に隣接する同種の辞書が近い方から順位の高いサブ辞書として設定された状態を示し、この設定内容がメイン辞書設定テーブル１２ｄとして記憶設定される。
【００７４】
次に、前記新たな内容のメイン辞書設定テーブル１２ｄが記憶設定された状態で、任意の入力見出し語に従ってその説明情報を検索表示させる場合の動作について説明する。
【００７５】
例えば英和の辞書検索を行いたい場合に、図１１（Ｂ）に示すように、辞書キー「英和」１６a3が操作されると（ステップＡ３）、当該辞書種類「英和」の現在の設定メイン辞書である「ジ＊ニアス英和」の辞書データが辞書データメモリ１２ｂから読出され（ステップＡ４）、当該辞書が起動されてその見出し語（検索文字）入力画面が表示される（ステップＡ５）。
【００７６】
この見出し語（検索文字）入力画面において、例えば検索対象の英単語「ｌｉｆｅ」が見出し語として入力表示されると（ステップＡ６）、これに伴い当該入力見出し語に完全一致および一致する単語を含む複数の見出し語が検索され、図１１（Ｂ）に示すような見出し語一覧画面Ｇ２として表示される（ステップＡ７）。
【００７７】
そして、この見出し語一覧画面Ｇ２において、カーソルＫが移動操作され、さらに検索対象としたい見出し語が選択されて「訳／決定」キー１６Ｙが操作されると（ステップＡ８）、図１１（Ｃ）に示すように、当該選択された見出し語に対応する説明情報がメイン辞書である「ジ＊ニアス英和」の辞書データから読出され、説明情報表示画面Ｇ３として説明情報の先頭から表示される（ステップＡ９）。
【００７８】
図１２は前記携帯機器（電子辞書）１０による情報表示制御機能の全体処理に伴うキー操作対応の表示動作（その２）を示す図であり、同図（Ｄ）は説明情報表示画面Ｇ３でのスクロール表示を示す図、同図（Ｅ）はメイン／サブ説明情報連動画面Ｇ４を示す図である。
【００７９】
前記図１１（Ｃ）で示した説明情報表示画面Ｇ３において、カーソル上下キー１６xd，１６xuが操作されると（ステップＡ１０）、図１２（Ｄ）に示すように、当該説明情報表示画面Ｇ３に表示されているメイン辞書「ジ＊ニアス英和」の選択見出し語「ｌｉｆｅ」の説明情報が上下にスクロールされて表示される（ステップＡ１１）。
【００８０】
こうしたメイン辞書「ジ＊ニアス英和」に基づく説明情報表示画面Ｇ３でのスクロール表示において、例えばユーザが求める説明情報が見出せず、同種記憶辞書「英和」のうちで現在のメイン辞書「ジ＊ニアス英和」より例えばユーザ対象レベルが上になるサブ辞書「リ＊ダーズ英和」に基づいた説明情報をも参照したい場合に、図１２（Ｅ）に示すように、「サブ辞書」キー１６Ｄが操作されると（ステップＡ１２）、メイン辞書設定テーブル１２ｄに基づき現在のメイン辞書「ジ＊ニアス英和」と同種「英和」のサブ辞書「リ＊ダーズ英和」（サブ辞書が複数ある場合は複数のサブ辞書）が読出され（ステップＡ１３）、メイン辞書「ジ＊ニアス英和」にて検索表示中の見出し語「ｌｉｆｅ」がサブ辞書「リ＊ダーズ英和」（各サブ辞書）から検索される（ステップＡ１４）。
【００８１】
すると、まず先頭のサブ辞書「リ＊ダーズ英和」が指定され（ステップＡ１５）、この先頭サブ辞書の辞書データ内に前記検索対象の見出し語「ｌｉｆｅ」が有るか／否か判断される（ステップＡ１６）。
【００８２】
ここで、先頭サブ辞書「リ＊ダーズ英和」の辞書データ内に検索対象見出し語「ｌｉｆｅ」が有ると判断されると（ステップＡ１６）、当該見出し語「ｌｉｆｅ」に対応した先頭サブ辞書に基づく説明情報の表示形態が、前記メイン辞書に基づき表示されている説明情報とその表示エリアを２分割表示にして設定される（ステップＡ１７）。
【００８３】
すると、次のサブ辞書が存在するか否か判断され（ステップＡ１８）、次のサブ辞書ありと判断された場合には、当該次のサブ辞書が指定されて（ステップＡ１９）、このサブ辞書の辞書データ内に前記検索対象の見出し語「ｌｉｆｅ」が有るか／否か判断される（ステップＡ１６）。
【００８４】
ここで、次のサブ辞書の辞書データ内にも検索対象見出し語「ｌｉｆｅ」が有ると判断された場合には（ステップＡ１６）、当該見出し語「ｌｉｆｅ」に対応した次のサブ辞書に基づく説明情報の表示形態が、前記分割表示にして設定されたメイン辞書に基づく説明情報および先頭サブ辞書に基づく説明情報とその表示エリアを３分割表示にして設定される（ステップＡ１７）。
【００８５】
一方、次のサブ辞書なしと判断された場合には（ステップＡ１８）、現在のメイン辞書「ジ＊ニアス英和」に基づく見出し語「ｌｉｆｅ」の説明情報の表示先頭行の語義番号「１」が読み出される（ステップＡ２０）。
【００８６】
そして、前記メイン辞書「ジ＊ニアス英和」の語義リンクテーブル１２ｃ（図２参照）に従って、前記ステップＡ２０にて読み出された現在表示先頭行のメイン辞書の説明情報語義番号「１」に対応するところの前記指定された先頭サブ辞書「リ＊ダーズ英和」での説明情報語義番号「１ａ」が読み出される（ステップＡ２１）。
【００８７】
すると、前記メイン辞書「ジ＊ニアス英和」での見出し語「ｌｉｆｅ」の説明情報における表示先頭行の語義番号「１」に対応した部分からの説明情報と、前記サブ辞書「リ＊ダーズ英和」での同一見出し語の説明情報における対応語義番号「１ａ」に応じた部分からの説明情報とが読み出され（ステップＡ２２）、当該サブ辞書から読み出された説明情報の表記形態を前記メイン辞書における説明情報の表記形態に合わせて統一するための、図１０におけるメイン辞書への表記変換処理が実行される（ステップＡＢ１）。
【００８８】
このメイン辞書への表記変換処理が起動されると、まずメモリ１２に記憶された表記変換テーブル１２ｅ（図４参照）に基づいて、前記サブ辞書「リ＊ダーズ英和」から読み出された説明情報における品詞記号，発音記号，略語記号などの各種の記号表記形態が、前記メイン辞書「ジ＊ニアス英和」での説明情報における各種の記号表記形態に合わせて変換統一される（ステップＢ１）。
【００８９】
つまり、サブ辞書「リ＊ダーズ英和」から読み出された説明情報において、アルファベット表記となっている品詞記号はメイン辞書「ジ＊ニアス英和」での表記に合わせて漢字表記に変換統一され、また、サブ辞書「リ＊ダーズ英和」では「ｉ」と「Ｉ」の２通り存在する発音記号表記は同メイン辞書「ジ＊ニアス英和」での「ｉ」のみの表記に合わせて変換統一され、さらに、サブ辞書「リ＊ダーズ英和」での説明情報において「スコットランド」を表す略語記号表記＜スコ＞は同メイン辞書「ジ＊ニアス英和」での略語記号表記＜スコット＞に合わせて変換統一される。
【００９０】
また、前記表記変換テーブル１２ｅに基づいて前記サブ辞書「リ＊ダーズ英和」での説明情報における見出表記（斜体）が前記メイン辞書「ジ＊ニアス英和」での説明情報における見出表記（〜）と異なることが検知判断されると共に（ステップＢ２）、当該メイン辞書「ジ＊ニアス英和」での見出表記が（〜）であることが判断される（ステップＢ３）。
【００９１】
すると、前記ステップＢ１において各種の記号表記形態がメイン辞書「ジ＊ニアス英和」のそれに合わされて変換されたサブ辞書「リ＊ダーズ英和」での語義番号「１ａ」からの説明情報中に含まれる（斜体）での見出表記が、前記メイン辞書「ジ＊ニアス英和」での見出表記（〜）に合わせて“〜”に変更される（ステップＢ４）。
【００９２】
つまり、サブ辞書「リ＊ダーズ英和」での見出し語「ｌｉｆｅ」に対応する説明情報語義番号「１ａ」以降の説明情報に斜体として含まれる当該見出し語表記「ｌｉｆｅ」が、メイン辞書「ジ＊ニアス英和」での見出表記に合わせて「〜」に変更されることになる。
【００９３】
一方、前記ステップＢ２において、メイン辞書から読み出された説明情報とサブ辞書から読み出された説明情報とに含まれるそれぞれの見出表記の形態が異なると検知判断されると共に、前記ステップＢ３において、当該メイン辞書での説明情報における見出表記の形態が（〜）ではなく（斜体）であると判断された場合には、サブ辞書での説明情報中に含まれる（〜）での見出表記が、メイン辞書での見出表記（斜体）に合わせて斜体の見出表記に変更されることになる（ステップＢ５）。
【００９４】
このように、前記メイン辞書への表記変換処理（ステップＡＢ１）では、メイン辞書での見出し語の表示中の説明情報に対応してサブ辞書から読み出された同一見出し語の説明情報に含まれる各種記号や見出しの表記形態が、ユーザが日頃から主に使用しているメイン辞書での説明情報に含まれる慣れた表記形態に合わせて変換され統一されるようになる。
【００９５】
すると、図１２（Ｅ）に示すようなメイン／サブ説明情報連動画面Ｇ４によって、メイン辞書「ジ＊ニアス英和」における見出し語「ｌｉｆｅ」の説明情報が語義番号「１」の説明情報部分から第１の表示エリアに分割表示されると共に、前記ステップＡＢ１においてメイン辞書に合わせて表記変換されたサブ辞書「リ＊ダーズ英和」における同一見出し語「ｌｉｆｅ」の説明情報が前記対応語義番号「１ａ」の説明情報部分から、前記ステップＡ１７において分割表示設定された第２の表示エリアに分割表示される（ステップＡ２３）。
【００９６】
このメイン／サブ説明情報連動画面Ｇ４において、設定中のメイン辞書名「ジ＊ニアス」は太枠のメイン辞書枠Ｍｍで囲まれて表示される。
【００９７】
また、同メイン／サブ説明情報連動画面Ｇ４上のメイン辞書「ジ＊ニアス英和」の説明情報中で選択表示された連動対象の語義番号「１」は白抜きのメイン選択語義枠ｍ１で囲まれて表示され、また、サブ辞書「リ＊ダーズ英和」の説明情報中で対応表示された連動の語義番号「１ａ」は太枠のみのサブ選択語義枠ｍ２で囲まれて表示される。
【００９８】
このように、図１２（Ｅ）で示したメイン／サブ説明情報連動画面Ｇ４において、カーソル上下キー１６xd，１６xuが操作されると（ステップＡ２４）、当該メイン／サブ説明情報連動画面Ｇ４のメイン辞書枠Ｍｍに対応して表示されているメイン辞書「ジ＊ニアス英和」の説明情報が上下にスクロールされて表示される（ステップＡ２５）。
【００９９】
すると、前記ステップＡ２５におけるメイン辞書「ジ＊ニアス英和」の説明情報のスクロール表示によってメイン選択語義枠ｍ１が変更表示された当該メイン辞書の説明情報語義番号（例えば「４」）に応じて、前記ステップＡ２１と同様にメモリ１２内の語義リンクテーブル１２ｃ（図２・図３参照）に基づき対応するサブ辞書での語義番号読出し処理が実行され（ステップＡ２６）、当該サブ辞書「リ＊ダーズ英和」における同一見出し語「ｌｉｆｅ」での対応する説明情報語義番号「２」が読み出される。
【０１００】
すると、前記メイン辞書「ジ＊ニアス英和」での見出し語「ｌｉｆｅ」のスクロール後の説明情報における表示先頭行の語義番号「４」に対応した部分からの説明情報と、前記サブ辞書「リ＊ダーズ英和」での同一見出し語の説明情報における対応語義番号「２」に応じた部分からの説明情報とが読み出され（ステップＡ２７）、当該サブ辞書から読み出された説明情報の表記形態を前記メイン辞書における説明情報の表記形態に合わせて統一するためのメイン辞書への表記変換処理が前記ステップＡＢ１同様に実行される（ステップＡＢ２）。
【０１０１】
すると、メイン辞書「ジ＊ニアス英和」における見出し語「ｌｉｆｅ」のスクロール後の説明情報が語義番号「４」の説明情報部分から第１の表示エリアに分割表示されると共に、前記ステップＡＢ２においてメイン辞書に合わせて表記変換されたサブ辞書「リ＊ダーズ英和」における同一見出し語「ｌｉｆｅ」の説明情報が前記対応語義番号「２」の説明情報部分から第２の表示エリアに分割表示される（ステップＡ２８）。
【０１０２】
一方、例えば前記図１２（Ｅ）で示した、メイン／サブ説明情報連動画面Ｇ４における現在のメイン辞書「ジ＊ニアス英和」での見出し語「ｌｉｆｅ」に対応した説明情報の表示に伴うサブ辞書「リ＊ダーズ英和」の説明情報の語義連動表示状態において、例えばメイン辞書「ジ＊ニアス英和」に基づく説明情報の内容よりもサブ辞書「リ＊ダーズ英和」に基づく説明情報の内容の方がユーザの要求に合っていることで、現在設定中のメイン辞書を「ジ＊ニアス英和」から「リ＊ダーズ英和」に切り替えるために、例えば「シフト」キー１６ｓ＋ページダウンキー１６ｄの操作によってメイン辞書の切り替えキー操作が為されたと判断されると（ステップＡ２９）、当該キー操作に応じてメイン／サブ説明情報連動画面Ｇ４でのメイン辞書枠Ｍｍがこれまでのサブ辞書名「リ＊ダーズ」の位置に切り替え表示されると共に、当該新たなメイン辞書「リ＊ダーズ英和」の説明情報における表示先頭の語義番号にメイン選択語義枠ｍ１が表示され、これまでのメイン辞書「ジ＊ニアス英和」の説明情報における表示先頭の語義番号「４」にサブ選択語義枠ｍ２が表示される（ステップＡ３０）。
【０１０３】
この際、メイン辞書設定テーブル１２ｄの「英和」辞書の設定内容が、メイン辞書「リ＊ダーズ英和」、サブ辞書「ジ＊ニアス英和」として変更される。
【０１０４】
そして、メイン辞書「リ＊ダーズ英和」として切り替えられたメイン／サブ説明情報連動画面Ｇ４において、カーソル上下キー１６xd，１６xuが操作されると（ステップＡ２４）、前記メイン辞書が「ジ＊ニアス英和」であった場合と同様に、メイン辞書枠Ｍｍに対応して表示されている新たなメイン辞書「リ＊ダーズ英和」の説明情報が上下にスクロールされて表示される（ステップＡ２５）。
【０１０５】
すると、前記ステップＡ２５におけるメイン辞書「リ＊ダーズ英和」の説明情報のスクロール表示によって、メイン選択語義枠ｍ１が変更表示された当該メイン辞書の説明情報語義番号（例えば「３ａ」）に応じて、前記同様にメモリ１２内の語義リンクテーブル１２ｃ（図２・図３参照）に基づき対応するサブ辞書での語義番号読出し処理が実行され（ステップＡ２６）、当該サブ辞書「ジ＊ニアス英和」における同一見出し語「ｌｉｆｅ」での対応する説明情報語義番号「６」が読み出される。
【０１０６】
すると、今回のメイン辞書「リ＊ダーズ英和」での見出し語「ｌｉｆｅ」のスクロール後の説明情報における表示先頭行の語義番号「３ａ」に対応した部分からの説明情報と、前記サブ辞書「ジ＊ニアス英和」での同一見出し語の説明情報における対応語義番号「６」に応じた部分からの説明情報とが読み出され（ステップＡ２７）、当該サブ辞書から読み出された説明情報の表記形態を前記メイン辞書における説明情報の表記形態に合わせて統一するためのメイン辞書への表記変換処理が前記ステップＡＢ１同様に実行される（ステップＡＢ２）。
【０１０７】
つまり、現在のサブ辞書である「ジ＊ニアス英和」から読み出された説明情報において、漢字表記となっている品詞記号はメイン辞書「リ＊ダーズ英和」での表記に合わせてアルファベット表記に変換統一され、また、同サブ辞書「ジ＊ニアス英和」での説明情報において「スコットランド」を表す略語記号表記＜スコット＞は同メイン辞書「リ＊ダーズ英和」での略語記号表記＜スコ＞に合わせて変換統一される。
【０１０８】
さらに、サブ辞書「ジ＊ニアス英和」での見出し語「ｌｉｆｅ」に対応する説明情報語義番号「６」以降の説明情報に“〜”として含まれる当該見出し語「ｌｉｆｅ」の表記「〜」が、メイン辞書「リ＊ダーズ英和」での見出表記に合わせて斜体の「ｌｉｆｅ」に変更される。
【０１０９】
すると、前記メイン／サブ切り替え後のメイン辞書「リ＊ダーズ英和」における見出し語「ｌｉｆｅ」のスクロール後の説明情報が語義番号「４」の説明情報部分から第１の表示エリアに分割表示されると共に、前記ステップＡＢ２において当該メイン辞書に合わせて表記変換されたサブ辞書「ジ＊ニアス英和」における同一見出し語「ｌｉｆｅ」の説明情報が前記対応語義番号「２」の説明情報部分から第２の表示エリアに分割表示される（ステップＡ２８）。
【０１１０】
これにより、ユーザが新たに切り替え設定したメイン辞書での見出し語の表示中の説明情報に対応してサブ辞書から読み出された同一見出し語の説明情報に含まれる各種記号や見出しの表記形態が変換され統一されるようになり、メイン／サブ説明情報連動画面Ｇ４によって複数の辞書での説明情報を連動表示させた場合でも、ユーザが見易い、そして理解し易い説明表記形態にして表示できるようになる。
【０１１１】
図１３は前記携帯機器（電子辞書）１０による情報表示制御機能の全体処理に伴うキー操作対応の表示動作（その３）を示す図であり、同図（Ａ）は辞書選択メニュー画面Ｇｍを示す図、同図（Ｂ）はサブ辞書として設定された「リ＊ダーズ英和」の辞書選択に伴う見出し語一覧画面Ｇ２を示す図、同図（Ｃ）はメイン辞書への表記変換処理を行ったサブ辞書「リ＊ダーズ英和」での説明情報表示画面Ｇ３を示す図である。
【０１１２】
図１３（Ａ）に示すように、「メニュー」キー１６ｍを操作すると（ステップＡ３１）、辞書データメモリ１２ｂに記憶されている全ての辞書のタイトルを一覧表示した辞書選択メニュー画面Ｇｍが表示部１７に表示され、上下左右の各カーソルキー１６xd，１６xu，１６yr，１６yfの操作に応じて反転カーソルＫを移動させ所望の辞書を選択可能な状態となる（ステップＡ３２）。
【０１１３】
この図１３（Ａ）における辞書選択メニュー画面Ｇｍにあって、例えばメイン辞書設定テーブル１２ｄ（図１１（Ａ）参照）ではサブ辞書として設定されている「リ＊ダーズ英和」がカーソルＫにより選択表示され「訳／決定」キー１６Ｙが操作されると（ステップＡ３２）、この選択された辞書「リ＊ダーズ英和」が読み出されて起動され、その見出し語（検索文字）入力画面が表示される（ステップＡ３３）。
【０１１４】
この見出し語（検索文字）入力画面において、例えば検索対象の英単語「ｌｉｆｅ」が見出し語として入力表示されると（ステップＡ３４）、これに伴い当該入力見出し語に完全一致および一致する単語を含む複数の見出し語が検索され、図１３（Ｂ）に示すような見出し語一覧画面Ｇ２として表示される（ステップＡ３５）。
【０１１５】
そして、この見出し語一覧画面Ｇ２において、カーソルＫが移動操作され、さらに検索対象としたい見出し語が選択されて「訳／決定」キー１６Ｙが操作されると（ステップＡ３６）、前記メニュー選択されて現在起動中の辞書「リ＊ダーズ英和」は前記メイン辞書設定テーブル１２ｄ（図１１（Ａ）参照）にてサブ辞書として設定されているか否か判断される（ステップＡ３７）。
【０１１６】
ここで、前記「リ＊ダーズ英和」がサブ辞書として設定されていると判断されると、当該サブ辞書から見出し語「ｌｉｆｅ」に対応して読み出された説明情報の表記形態をメイン辞書「ジ＊ニアス英和」における説明情報の表記形態に合わせて統一するためのメイン辞書への表記変換処理が前記ステップＡＢ１同様に実行される（ステップＡＢ３）。
【０１１７】
つまり、サブ辞書「リ＊ダーズ英和」から読み出された説明情報において、アルファベット表記となっている品詞記号はメイン辞書「ジ＊ニアス英和」での表記に合わせて漢字表記に変換統一され、また、サブ辞書「リ＊ダーズ英和」では「ｉ」と「Ｉ」の２通り存在する発音記号表記は同メイン辞書「ジ＊ニアス英和」での「ｉ」のみの表記に合わせて変換統一され、さらに、サブ辞書「リ＊ダーズ英和」での説明情報において「スコットランド」を表す略語記号表記＜スコ＞は同メイン辞書「ジ＊ニアス英和」での略語記号表記＜スコット＞に合わせて変換統一される。
【０１１８】
さらに、サブ辞書「リ＊ダーズ英和」での見出し語「ｌｉｆｅ」に対応する説明情報に斜体として含まれる当該見出し語表記「ｌｉｆｅ」が、メイン辞書「ジ＊ニアス英和」での見出表記に合わせて「〜」に変更される。
【０１１９】
そして、図１３（Ｃ）に示すように、前記メイン辞書への表記変換処理を実施したサブ辞書「リ＊ダーズ英和」での見出し語「ｌｉｆｅ」に対応する説明情報が、説明情報表示画面Ｇ３として当該説明情報の先頭から表示される（ステップＡ３８）。
【０１２０】
このように、前記メイン辞書への表記変換処理（ステップＡＢ３）では、辞書選択メニュー画面Ｇｍから検索対象として選択した辞書データについても、当該選択された辞書がサブ辞書である場合には、このサブ辞書から読み出された説明情報に含まれる各種記号や見出しの表記形態が、ユーザが日頃から主に使用しているメイン辞書での説明情報に含まれる慣れた表記形態に合わせて変換統一され表示されるようになる。
【０１２１】
そして、前記図１３（Ｃ）で示した説明情報表示画面Ｇ３において、カーソル上下キー１６xd，１６xuが操作されると（ステップＡ３９）、前記ステップＡ３７，ＡＢ３と同様に、現在の検索対象辞書がサブ辞書であるか否かの判断処理（ステップＡ４０）、およびサブ辞書である場合のメイン辞書への表記変換処理（ステップＡＢ４）が実行された後、当該表記変換処理されたサブ辞書「リ＊ダーズ英和」の選択見出し語「ｌｉｆｅ」に対応する説明情報が上下にスクロールされて表示される（ステップＡ４１）。
【０１２２】
次に、メイン辞書設定テーブル１２ｄにおいて、「リ＊ダーズ英和」をメイン辞書として設定し、「ジ＊ニアス英和」をサブ辞書として設定した場合についての動作例を説明する。
【０１２３】
なお、この場合の辞書検索処理についても、前記図６〜図８で示した携帯機器（電子辞書）１０の全体処理、図９で示したメイン辞書設定処理、図１０で示したメイン辞書への表記変換処理のフローチャートに従い同様に実行される。
【０１２４】
図１４は前記携帯機器（電子辞書）１０による情報表示制御機能の全体処理に伴うキー操作対応の表示動作（その４）を示す図であり、同図（Ａ）は英和メイン辞書の変更を伴うメイン辞書設定画面Ｇ１を示す図、同図（Ｂ）は変更後メイン辞書における見出し語一覧画面Ｇ２を示す図である。
【０１２５】
図１５は前記携帯機器（電子辞書）１０による情報表示制御機能の全体処理に伴うキー操作対応の表示動作（その５）を示す図であり、同図（Ｃ）は変更後メイン辞書に基づく説明情報表示画面Ｇ３を示す図、同図（Ｄ）はメイン辞書変更後のメイン／サブ説明情報連動画面Ｇ４を示す図である。
【０１２６】
すなわち、まず図１４（Ａ）に示すように、「シフト」キー１６ｓ＋「設定」キー１６Ｅの操作に応じて“メイン辞書設定の指示あり”が判断されると（ステップＡ１→Ａ２）、図９におけるメイン辞書設定処理に移行され（ステップＡＳ）、表示部１７にメイン辞書設定画面Ｇ１が表示される（ステップＳ１）。
【０１２７】
このメイン辞書設定画面Ｇ１において、カーソル上下キー１６xd，１６xuおよびカーソル左右キー１６yr，１６yfの操作により、反転表示カーソルＫを各辞書の種類間で左右方向へ移動表示させると共に、メイン辞書マークＭを同種辞書の間で上下方向へ移動表示させ、各種の辞書のそれぞれについてユーザ所望のメイン辞書を選択的に指定する（ステップＳ２〜Ｓ５）。
【０１２８】
そして、前記各カーソルキー操作に従って所望の辞書種類の複数辞書中におけるメイン設定したい辞書をカーソルＫで指定した状態で、「訳／決定」キー１６Ｙを操作すると、当該指定された辞書名に対し付加されたメイン辞書マークＭが確定表示されると共に、新たに変更設定された各辞書種類別のメイン辞書がメイン辞書設定テーブル１２ｄに記憶設定される（ステップＳ６→Ｓ７）。
【０１２９】
図１４（Ａ）に示すメイン辞書設定画面Ｇ１では、「英和」のメイン辞書が「ジ＊ニアス英和」から「リ＊ダーズ英和」に変更設定された状態を示し、この設定内容がメイン辞書設定テーブル１２ｄとして記憶設定される。
【０１３０】
この設定変更されたメイン辞書設定テーブル１２ｄが記憶された状態で、英和の辞書検索を行いたい場合に、図１４（Ｂ）に示すように、辞書キー「英和」１６a3が操作されると（ステップＡ３）、当該辞書種類「英和」の現在の設定メイン辞書である「リ＊ダーズ英和」の辞書データが辞書データメモリ１２ｂから読出され（ステップＡ４）、当該辞書が起動されてその見出し語（検索文字）入力画面が表示される（ステップＡ５）。
【０１３１】
この見出し語（検索文字）入力画面において、例えば検索対象の英単語「ｌｉｆｅ」が見出し語として入力表示されると（ステップＡ６）、これに伴い当該入力見出し語に完全一致および一致する単語を含む複数の見出し語が検索され、図１４（Ｂ）に示すような「リ＊ダーズ英和」における「ｌｉｆｅ」の見出し語一覧画面Ｇ２として表示される（ステップＡ７）。
【０１３２】
そして、この見出し語一覧画面Ｇ２において、カーソルＫが移動操作され、さらに検索対象としたい見出し語が選択されて「訳／決定」キー１６Ｙが操作されると（ステップＡ８）、図１５（Ｃ）に示すように、当該選択された見出し語に対応する説明情報がメイン辞書である「リ＊ダーズ英和」の辞書データから読出され、説明情報表示画面Ｇ３として説明情報の先頭から表示される（ステップＡ９）。
【０１３３】
この図１５（Ｃ）で示した、メイン辞書「リ＊ダーズ英和」における見出し語「ｌｉｆｅ」の説明情報表示画面Ｇ３において、例えばユーザが求める説明情報が見出せず、サブ辞書「ジ＊ニアス英和」に基づいた説明情報をも参照したい場合に、図１５（Ｄ）に示すように、「サブ辞書」キー１６Ｄが操作されると（ステップＡ１２）、メイン辞書設定テーブル１２ｄに基づき現在のメイン辞書「リ＊ダーズ英和」と同種「英和」のサブ辞書「ジ＊ニアス英和」（サブ辞書が複数ある場合は複数のサブ辞書）が読出され（ステップＡ１３）、メイン辞書「リ＊ダーズ英和」にて検索表示中の見出し語「ｌｉｆｅ」がサブ辞書「ジ＊ニアス英和」（各サブ辞書）から検索される（ステップＡ１４）。
【０１３４】
すると、まず先頭のサブ辞書「ジ＊ニアス英和」が指定され（ステップＡ１５）、この先頭サブ辞書の辞書データ内に前記検索対象の見出し語「ｌｉｆｅ」が有るか／否か判断される（ステップＡ１６）。
【０１３５】
ここで、サブ辞書「ジ＊ニアス英和」の辞書データ内に検索対象見出し語「ｌｉｆｅ」が有ると判断されると（ステップＡ１６）、当該見出し語「ｌｉｆｅ」に対応した先頭サブ辞書に基づく説明情報の表示形態が、前記メイン辞書に基づき表示されている説明情報とその表示エリアを２分割表示にして設定される（ステップＡ１７）。
【０１３６】
すると、次のサブ辞書が存在するか否か判断され（ステップＡ１８）、次のサブ辞書ありと判断された場合には、当該次のサブ辞書が指定されて（ステップＡ１９）、このサブ辞書の辞書データ内に前記検索対象の見出し語「ｌｉｆｅ」が有るか／否か判断される（ステップＡ１６）。
【０１３７】
一方、次のサブ辞書なしと判断された場合には（ステップＡ１８）、現在のメイン辞書「リ＊ダーズ英和」に基づく見出し語「ｌｉｆｅ」の説明情報の表示先頭行の語義番号「１ａ」が読み出される（ステップＡ２０）。
【０１３８】
そして、前記メイン辞書「リ＊ダーズ英和」の語義リンクテーブル１２ｃ（図２参照）に従って、前記ステップＡ２０にて読み出された現在表示先頭行のメイン辞書の説明情報語義番号「１ａ」に対応するところの前記指定されたサブ辞書「ジ＊ニアス英和」での説明情報語義番号「１」が読み出される（ステップＡ２１）。
【０１３９】
すると、前記メイン辞書「リ＊ダーズ英和」での見出し語「ｌｉｆｅ」の説明情報における表示先頭行の語義番号「１ａ」に対応した部分からの説明情報と、前記サブ辞書「ジ＊ニアス英和」での同一見出し語の説明情報における対応語義番号「１」に応じた部分からの説明情報とが読み出され（ステップＡ２２）、当該サブ辞書から読み出された説明情報の表記形態を前記メイン辞書における説明情報の表記形態に合わせて統一するための、図１０におけるメイン辞書への表記変換処理が実行される（ステップＡＢ１）。
【０１４０】
つまり、現在のサブ辞書である「ジ＊ニアス英和」から読み出された説明情報において、漢字表記となっている品詞記号はメイン辞書「リ＊ダーズ英和」での表記に合わせてアルファベット表記に変換統一され、また、同サブ辞書「ジ＊ニアス英和」での説明情報において「スコットランド」を表す略語記号表記＜スコット＞は同メイン辞書「リ＊ダーズ英和」での略語記号表記＜スコ＞に合わせて変換統一される。
【０１４１】
さらに、サブ辞書「ジ＊ニアス英和」での見出し語「ｌｉｆｅ」に対応する説明情報に“〜”として含まれる当該見出し語「ｌｉｆｅ」の表記「〜」が、メイン辞書「リ＊ダーズ英和」での見出表記に合わせて斜体の「ｌｉｆｅ」に変更される。
【０１４２】
このように、前記メイン辞書への表記変換処理（ステップＡＢ１）では、前述したメイン辞書変更設定前の動作例と同様にして、現在のメイン辞書「リ＊ダーズ英和」での見出し語の表示中の説明情報に対応してサブ辞書「ジ＊ニアス英和」から読み出された同一見出し語の説明情報に含まれる各種記号や見出しの表記形態が、ユーザ設定されたメイン辞書での説明情報に含まれる表記形態に合わせて変換され統一されるようになる。
【０１４３】
すると、図１５（Ｄ）に示すようなメイン／サブ説明情報連動画面Ｇ４によって、メイン辞書「リ＊ダーズ英和」における見出し語「ｌｉｆｅ」の説明情報が語義番号「１ａ」の説明情報部分から第１の表示エリアに分割表示されると共に、前記ステップＡＢ１においてメイン辞書に合わせて表記変換されたサブ辞書「ジ＊ニアス英和」における同一見出し語「ｌｉｆｅ」の説明情報が前記対応語義番号「１」の説明情報部分から、前記ステップＡ１７において分割表示設定された第２の表示エリアに分割表示される（ステップＡ２３）。
【０１４４】
図１６は前記携帯機器（電子辞書）１０による情報表示制御機能の全体処理に伴うキー操作対応の表示動作（その６）を示す図であり、同図（Ａ）は辞書選択メニュー画面Ｇｍを示す図、同図（Ｂ）はサブ辞書として設定された「ジ＊ニアス英和」の辞書選択に伴う見出し語一覧画面Ｇ２を示す図、同図（Ｃ）はメイン辞書への表記変換処理を行ったサブ辞書「ジ＊ニアス英和」での説明情報表示画面Ｇ３を示す図である。
【０１４５】
図１６（Ａ）に示すように、「メニュー」キー１６ｍを操作すると（ステップＡ３１）、辞書データメモリ１２ｂに記憶されている全ての辞書のタイトルを一覧表示した辞書選択メニュー画面Ｇｍが表示部１７に表示され、上下左右の各カーソルキー１６xd，１６xu，１６yr，１６yfの操作に応じて反転カーソルＫを移動させ所望の辞書を選択可能な状態となる（ステップＡ３２）。
【０１４６】
この図１６（Ａ）における辞書選択メニュー画面Ｇｍにあって、例えばメイン辞書設定テーブル１２ｄ（図１４（Ａ）参照）ではサブ辞書として変更設定された「ジ＊ニアス英和」がカーソルＫにより選択表示され「訳／決定」キー１６Ｙが操作されると（ステップＡ３２）、この選択された辞書「ジ＊ニアス英和」が読み出されて起動され、その見出し語（検索文字）入力画面が表示される（ステップＡ３３）。
【０１４７】
この見出し語（検索文字）入力画面において、例えば検索対象の英単語「ｌｉｆｅ」が見出し語として入力表示されると（ステップＡ３４）、これに伴い当該入力見出し語に完全一致および一致する単語を含む複数の見出し語が検索され、図１６（Ｂ）に示すような見出し語一覧画面Ｇ２として表示される（ステップＡ３５）。
【０１４８】
そして、この見出し語一覧画面Ｇ２において、カーソルＫが移動操作され、さらに検索対象としたい見出し語が選択されて「訳／決定」キー１６Ｙが操作されると（ステップＡ３６）、前記メニュー選択されて現在起動中の辞書「ジ＊ニアス英和」は前記メイン辞書設定テーブル１２ｄ（図１４（Ａ）参照）にてサブ辞書として設定されているか否か判断される（ステップＡ３７）。
【０１４９】
ここで、前記「ジ＊ニアス英和」がサブ辞書として設定されていると判断されると、当該サブ辞書から見出し語「ｌｉｆｅ」に対応して読み出された説明情報の表記形態をメイン辞書「リ＊ダーズ英和」における説明情報の表記形態に合わせて統一するためのメイン辞書への表記変換処理が前記ステップＡＢ１同様に実行される（ステップＡＢ３）。
【０１５０】
つまり、サブ辞書である「ジ＊ニアス英和」から読み出された説明情報において、漢字表記となっている品詞記号はメイン辞書「リ＊ダーズ英和」での表記に合わせてアルファベット表記に変換統一され、また、同サブ辞書「ジ＊ニアス英和」での説明情報において「スコットランド」を表す略語記号表記＜スコット＞は同メイン辞書「リ＊ダーズ英和」での略語記号表記＜スコ＞に合わせて変換統一される。
【０１５１】
さらに、サブ辞書「ジ＊ニアス英和」での見出し語「ｌｉｆｅ」に対応する説明情報に“〜”として含まれる当該見出し語「ｌｉｆｅ」の表記「〜」が、メイン辞書「リ＊ダーズ英和」での見出表記に合わせて斜体の「ｌｉｆｅ」に変更される。
【０１５２】
そして、図１６（Ｃ）に示すように、前記メイン辞書への表記変換処理を実施したサブ辞書「ジ＊ニアス英和」での見出し語「ｌｉｆｅ」に対応する説明情報が、説明情報表示画面Ｇ３として当該説明情報の先頭から表示される（ステップＡ３８）。
【０１５３】
このように、前記メイン辞書への表記変換処理（ステップＡＢ３）では、辞書選択メニュー画面Ｇｍから検索対象として選択した辞書データについても、当該選択された辞書がサブ辞書である場合には、このサブ辞書から読み出された説明情報に含まれる各種記号や見出しの表記形態が、ユーザが設定したメイン辞書での説明情報に含まれる表記形態に合わせて変換統一され表示されるようになる。
【０１５４】
したがって、前記構成の携帯機器（電子辞書）１０におけるメイン辞書／サブ辞書間での表記変換表示機能によれば、例えば「英和」のメイン辞書を「ジ＊ニアス英和辞典」、サブ辞書を「リ＊ダーズ英和辞典」としてメイン辞書設定テーブル１２ｄに設定した状態での辞書キー「英和」１６a3の１キー操作に応じた当該メイン辞書に基づく入力見出し語対応の説明情報表示画面Ｇ３（図１２（Ｄ）参照）において、さらに「サブ辞書」キー１６Ｄを１キー操作すると、表示中のメイン辞書説明情報に見出し語とその語義番号で内容対応するサブ辞書の説明情報が当該メイン辞書「ジ＊ニアス英和辞典」用の語義リンクテーブル１２ｃ（図２，図３参照）に基づき検知され読み出される。そして、このサブ辞書「リ＊ダーズ英和辞典」から読み出された説明情報に含まれる品詞記号，発音記号，略語記号，見出表記などの各表記形態が表記変換テーブル１２ｅに従いメイン辞書での各表記形態に合わせて変換統一され、前記メイン辞書での説明情報と２分割の表示設定にしたメイン／サブ説明情報連動画面Ｇ４（図１２（Ｅ）参照）にて表示される。
【０１５５】
このため、複数ある同種の辞書を対象にして見出し語検索し各辞書に応じた説明情報を参照したい場合に、ユーザが使い慣れている主要な辞書であるメイン辞書での説明情報の表記形態に合わせて、他の辞書での説明情報の表記形態を変換統一して表示させることができ、非常に見易くまた理解しやすい説明情報の表示画面を実現できる。
【０１５６】
しかも、各辞書の説明情報表示画面Ｇ３を別々にスクロール表示させて一方の辞書の説明情報に対応した内容の他方の辞書の説明情報を比較検討しながら見つけ出す必要はなく、ユーザ設定したメインの辞書の表示中の説明情報に対応したサブ辞書の説明情報を、非常に簡単な１キー（サブ辞書キー１６Ｄ）操作でメイン／サブ説明情報連動画面Ｇ４によって語義に基づき連動表示させることができる。
【０１５７】
また、前記構成の携帯機器（電子辞書）１０におけるメイン辞書／サブ辞書間での表記変換を伴う説明情報連動表示機能によれば、前記「サブ辞書」キー１６Ｄの１キー操作によって語義に基づき連動表示されるメイン辞書の入力見出し語に対応した説明情報とサブ辞書での同一見出し語に対応した表記統一された説明情報とは、分割エリアにて並列表示されるメイン／サブ説明情報連動画面Ｇ４として表示されるので、各辞書間で同様の語義内容である説明情報を極めて容易に比較検討して何れの説明内容が適切かを判断できるようになる。
【０１５８】
また、前記構成の携帯機器（電子辞書）１０におけるメイン辞書／サブ辞書の設定機能によれば、各キートップにそれぞれ「国語」「漢和」「英和」「和英」と印刷された複数種類の辞書キー１６a1〜１６a4を備え、それぞれの辞書種での辞書キー１６a1，１６a2，１６a3，１６a4の１キー操作によって当該操作キーに対応する種類の複数辞書のうちのメイン辞書が選択起動されてその説明情報が表示され、さらに「サブ辞書」キー１６Ｄの１キー操作によって前記メイン辞書と同種のサブ辞書が選択起動されてその説明情報が表記統一されて表示されるので、非常に簡単に各種の辞書を選択指定してそのメイン辞書とサブ辞書による見出し語説明情報を見ることができる。
【０１５９】
また、前記構成の携帯機器（電子辞書）１０におけるメイン辞書／サブ辞書の設定機能によれば、「国語」「漢和」「英和」「和英」の各種それぞれの複数辞書のうち、メイン辞書とサブ辞書はユーザ操作に応じて任意に変更設定できるので、例えばユーザレベルの変化に伴い適切なメイン辞書とサブ辞書を簡単に設定できるようになる。
【０１６０】
なお、前記実施形態において記載した携帯機器（電子辞書）１０による各処理の手法、すなわち、図６・図７・図８のフローチャートに示す情報表示制御機能の全体処理、図９のフローチャートに示す当該情報表示制御機能の全体処理に伴うメイン辞書設定処理、図１０のフローチャートに示す前記情報表示制御機能の全体処理に伴うメイン辞書への表記変換処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、通信ネットワーク（インターネット）Ｎとの通信機能を備えた種々のコンピュータ端末は、この外部記憶媒体１３に記憶されたプログラムを記憶媒体読取部１４によってメモリ１２に読み込み、この読み込んだプログラムによって動作が制御されることにより、前記実施形態において説明したメイン辞書／サブ辞書間での表記変換統一機能および説明情報連動表示機能を実現し、前述した手法による同様の処理を実行することができる。
【０１６１】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述したメイン辞書／サブ辞書間での表記変換統一機能および説明情報連動表示機能を実現することもできる。
【０１６２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１６３】
【図１】本発明の辞書情報表示制御装置の実施形態に係る携帯機器（電子辞書）１０の電子回路の構成を示すブロック図。
【図２】前記携帯機器（電子辞書）１０のメモリ１２に記憶される語義リンクテーブル１２ｃのテーブルデータを示す図。
【図３】前記図２おける語義リンクテーブル１２ｃについて各語義に対応する説明情報の内容を参考に対応付けて示す図。
【図４】前記携帯機器（電子辞書）１０のメモリ１２に記憶される表記変換テーブル１２ｅのテーブルデータを示す図。
【図５】前記携帯機器（電子辞書）１０の入力部１６であるキーボードパネルを示す図。
【図６】前記携帯機器（電子辞書）１０による情報表示制御機能の全体処理（その１）を示すフローチャート。
【図７】前記携帯機器（電子辞書）１０による情報表示制御機能の全体処理（その２）を示すフローチャート。
【図８】前記携帯機器（電子辞書）１０による情報表示制御機能の全体処理（その３）を示すフローチャート。
【図９】前記携帯機器（電子辞書）１０による情報表示制御機能の全体処理（その１）に伴うメイン辞書設定処理を示すフローチャート。
【図１０】前記携帯機器（電子辞書）１０による情報表示制御機能の全体処理（その２）（その３）に伴うメイン辞書への表記変換処理を示すフローチャート。
【図１１】前記携帯機器（電子辞書）１０による情報表示制御機能の全体処理に伴うキー操作対応の表示動作（その１）を示す図であり、同図（Ａ）はメイン辞書設定画面Ｇ１を示す図、同図（Ｂ）は見出し語一覧画面Ｇ２を示す図、同図（Ｃ）は説明情報表示画面Ｇ３を示す図。
【図１２】前記携帯機器（電子辞書）１０による情報表示制御機能の全体処理に伴うキー操作対応の表示動作（その２）を示す図であり、同図（Ｄ）は説明情報表示画面Ｇ３でのスクロール表示を示す図、同図（Ｅ）はメイン／サブ説明情報連動画面Ｇ４を示す図。
【図１３】前記携帯機器（電子辞書）１０による情報表示制御機能の全体処理に伴うキー操作対応の表示動作（その３）を示す図であり、同図（Ａ）は辞書選択メニュー画面Ｇｍを示す図、同図（Ｂ）はサブ辞書として設定された「リ＊ダーズ英和」の辞書選択に伴う見出し語一覧画面Ｇ２を示す図、同図（Ｃ）はメイン辞書への表記変換処理を行ったサブ辞書「リ＊ダーズ英和」での説明情報表示画面Ｇ３を示す図。
【図１４】前記携帯機器（電子辞書）１０による情報表示制御機能の全体処理に伴うキー操作対応の表示動作（その４）を示す図であり、同図（Ａ）は英和メイン辞書の変更を伴うメイン辞書設定画面Ｇ１を示す図、同図（Ｂ）は変更後メイン辞書における見出し語一覧画面Ｇ２を示す図。
【図１５】前記携帯機器（電子辞書）１０による情報表示制御機能の全体処理に伴うキー操作対応の表示動作（その５）を示す図であり、同図（Ｃ）は変更後メイン辞書に基づく説明情報表示画面Ｇ３を示す図、同図（Ｄ）はメイン辞書変更後のメイン／サブ説明情報連動画面Ｇ４を示す図。
【図１６】前記携帯機器（電子辞書）１０による情報表示制御機能の全体処理に伴うキー操作対応の表示動作（その６）を示す図であり、同図（Ａ）は辞書選択メニュー画面Ｇｍを示す図、同図（Ｂ）はサブ辞書として設定された「ジ＊ニアス英和」の辞書選択に伴う見出し語一覧画面Ｇ２を示す図、同図（Ｃ）はメイン辞書への表記変換処理を行ったサブ辞書「ジ＊ニアス英和」での説明情報表示画面Ｇ３を示す図。
【符号の説明】
【０１６４】
１０  …携帯機器（電子辞書）
１１  …ＣＰＵ
１２  …メモリ
１２ａ…辞書制御プログラム
１２ｂ…辞書データメモリ
１２ｃ…語義リンクテーブル
１２ｄ…メイン辞書設定テーブル
１２ｅ…表記変換テーブル
１２ｆ…ワークエリア
１３  …外部記憶媒体
１４  …記憶媒体読取部
１５  …通信部
１６  …入力部
１６a1〜１６a4…辞書キー
１６Ｄ…「サブ辞書」キー
１６Ｙ…「訳／決定」キー
１７  …表示部
２０  …Ｗｅｂサーバ
Ｎ  …通信ネットワーク（インターネット）
Ｍｍ…メイン辞書枠
ｍ１…メイン選択語義枠
ｍ２…サブ選択語義枠
【図１】
2005216108.tif 000003
【図２】
2005216108.tif 000004
【図３】
2005216108.tif 000005
【図４】
2005216108.tif 000006
【図５】
2005216108.tif 000007
【図６】
2005216108.tif 000008
【図７】
2005216108.tif 000009
【図８】
2005216108.tif 000010
【図９】
2005216108.tif 000011
【図１０】
2005216108.tif 000012
【図１１】
2005216108.tif 000013
【図１２】
2005216108.tif 000014
【図１３】
2005216108.tif 000015
【図１４】
2005216108.tif 000016
【図１５】
2005216108.tif 000017
【図１６】
2005216108.tif 000018